(57)【要約】【課題】本発明は、ＴＣＲを小さくすることができる抵抗器を提供することを目的とするものである。【解決手段】本発明の抵抗器は、抵抗体１２と、前記抵抗体１２の一面の両端部１２ａに形成された一対の電極１３とを備え、前記一対の電極１３はそれぞれ、互いに離間した電圧検出端子１３ａと電流端子１３ｂとで構成され、一対の前記電圧検出端子１３ａ同士が互いに対向し、一対の前記電流端子１３ｂ同士が互いに対向し、前記抵抗体１２の前記両端部１２ａに、前記一対の電極１３が並ぶ方向と異なる方向に突出する突出部１４が存在し、前記電圧検出端子１３ａが前記突出部１４に位置している。【選択図】図１
2020177947.tif 000002
【特許請求の範囲】
【請求項１】
抵抗体と、前記抵抗体の一面の両端部に形成された一対の電極とを備え、前記一対の電極はそれぞれ、互いに離間した電圧検出端子と電流端子とで構成され、一対の前記電圧検出端子同士が互いに対向し、一対の前記電流端子同士が互いに対向し、前記抵抗体の前記両端部に、前記一対の電極が並ぶ方向と異なる方向に突出する突出部が存在し、前記電圧検出端子が前記突出部に位置している抵抗器。
【請求項２】
前記突出部が、一対の前記電圧検出端子と一対の前記電流端子との間の箇所から突出している請求項１に記載の抵抗器。
【発明の詳細な説明】
【技術分野】
【０００１】
本発明は、各種電子機器の電流値検出等に使用される小型で低抵抗値の抵抗器に関するものである。
【背景技術】
【０００２】
従来のこの種の抵抗器は、図３に示すように、絶縁基板１に形成された抵抗体２と、抵抗体２の両端部に形成された一対の電極３とを備え、一対の電極３をそれぞれ電圧検出端子４と電流端子５に分割し４端子構造としていた。
【０００３】
なお、この出願の発明に関する先行技術文献情報としては、例えば、特許文献１が知られている。
【先行技術文献】
【特許文献】
【０００４】
【特許文献１】特開２００６−１８６２６４号公報
【発明の概要】
【発明が解決しようとする課題】
【０００５】
上記従来の抵抗器は、抵抗体２において一方の電流端子５から電圧検出端子４を経由して他方の電流端子５に電流が流れる経路が存在するため、電圧検出端子４のＴＣＲ（抵抗温度係数）の影響によって抵抗器のＴＣＲの値が大きくなる（悪化する）可能性があるという課題を有していた。
【０００６】
本発明は上記従来の課題を解決するもので、ＴＣＲを小さくすることができる抵抗器を提供することを目的とするものである。
【課題を解決するための手段】
【０００７】
第１の態様に係る抵抗器は、抵抗体と、前記抵抗体の一面の両端部に形成された一対の電極とを備え、前記一対の電極はそれぞれ、互いに離間した電圧検出端子と電流端子とで構成され、一対の前記電圧検出端子同士が互いに対向し、一対の前記電流端子同士が互いに対向し、前記抵抗体の前記両端部に、前記一対の電極が並ぶ方向と異なる方向に突出する突出部が存在し、前記電圧検出端子が前記突出部に位置している。
【０００８】
第２の態様に係る抵抗器では、第１の態様において、前記突出部が、一対の前記電圧検出端子と一対の前記電流端子との間の箇所から突出している。
【発明の効果】
【０００９】
本発明の抵抗器は、電圧検出端子が突出部に配置されているため、抵抗体において電圧検出端子に電流が流れる経路がほとんど存在しなくなり、これにより、抵抗器のＴＣＲに電圧検出端子のＴＣＲの影響が及びにくくなるため、抵抗器のＴＣＲを良化させる（小さくする）ことができる。
【図面の簡単な説明】
【００１０】
【図１】本発明の一実施の形態における抵抗器の平面図
【図２】同抵抗器の断面図
【図３】従来の抵抗器を示す平面図
【発明を実施するための形態】
【００１１】
図１は本開示の一実施の形態における抵抗器の平面図、図２は図１のＩ−Ｉ線断面図である。
【００１２】
本開示の一実施の形態における抵抗器は、図１、図２に示すように、絶縁体１１と、絶縁体１１に形成された抵抗体１２と、抵抗体１２の一面（上面）の両端部１２ａに形成された一対の電極１３とを備えている。
【００１３】
また、一対の電極１３はそれぞれ、互いに離間した電圧検出端子１３ａと電流端子１３ｂとで構成され、４端子構造となり、さらに、抵抗体１２の両端部１２ａに、一対の電極１３が並ぶ方向（電流が流れる方向）と略直交する方向に突出する突出部１４が存在し、電圧検出端子１３ａが突出部１４に配置されている。
【００１４】
上記構成において、前記絶縁体１１は、Ａｌ2Ｏ3を９６％含有するアルミナで構成され、その形状は矩形状（上面視にて長方形）となっている。
【００１５】
また、前記抵抗体１２は、絶縁体１１の上面において、銅ニッケル、銀パラジウム、または酸化ルテニウムからなる厚膜材料を矩形状に印刷した後、焼成することによって形成されている。
【００１６】
図１、図２では、抵抗体１２の周囲は、絶縁体１１から露出しているが、必ずしもその必要はない。
【００１７】
そして、抵抗体１２の一対の電極１３が形成される両端部１２ａそれぞれに、抵抗体１２の一対の電極１３が並ぶ方向と直交する方向に突出する突出部１４が形成される。すなわち、抵抗体１２に欠落部１５が設けられる。
【００１８】
さらに、抵抗体１２に抵抗値調整用のトリミング溝１６を設けてもよい。このトリミング溝１６は、抵抗体１２の欠落部１５が設けられた辺と対向する辺に形成する。
【００１９】
なお、抵抗体１２をニクロム、銅ニッケル、マンガニン等からなる金属の板で構成してもよい。この場合、絶縁体１１はエポキシ樹脂またはシリコン樹脂、あるいはガラスエポキシ基板で構成される。
【００２０】
さらに、前記一対の電極１３は、抵抗体１２の上面における両端部１２ａに形成され、また、抵抗体１２の両端部１２ａから露出している。そして、一対の電極１３は、Ｃｕを主成分としたペーストを印刷、乾燥して形成する。
【００２１】
そして、一対の電極１３はそれぞれ、互いに離間した幅狭の電圧検出端子１３ａと幅広の電流端子１３ｂとで構成されている。すなわち、この抵抗器は一対の電圧検出端子１３ａと一対の電流端子１３ｂからなる４端子構造になっている。また、一対の電圧検出端子１３ａ同士は欠落部１５を介して互いに対向し、一対の電流端子１３ｂ同士が互いに対向している。
【００２２】
また、一対の電圧検出端子１３ａは突出部１４に形成され、一対の電流端子１３ｂは突出部１４には形成されない。すなわち、突出部１４は一対の電圧検出端子１３ａと一対の電流端子１３ｂとの間の箇所から突出している。
【００２３】
そして、電圧検出端子１３ａ、電流端子１３ｂの上面を覆うようにニッケルめっき、すずめっきで構成されためっき層（図示せず）が形成されている。
【００２４】
なお、図１では、一対の電極１３を抵抗体１２の上面における長辺となる両端部１２ａに形成したが、短辺となる両端部に形成してもよい。
【００２５】
さらにまた、保護膜１７が、抵抗体１２の上面において電圧検出端子１３ａ、電流端子１３ｂが形成されていない部分に、エポキシ樹脂またはシリコン樹脂を塗布、乾燥することにより形成されている。なお、図１では保護膜１７を省略している。
【００２６】
ここで、実装基板への実装は、一対の電極１３が形成された側を下方に向けて行うが、本願では、便宜上、絶縁体１１が形成された側を下方、一対の電極１３が形成された側を上方として説明している。
【００２７】
本発明の一実施の形態における抵抗器においては、突出部１４に電圧検出端子１３ａのみを形成しているため、抵抗体１２において一方の電流端子１３ｂから電圧検出端子１３ａを経由して他方の電流端子１３ｂに電流が流れる経路がほとんど存在しなくなり、これにより、電圧検出端子１３ａのＴＣＲの影響によって抵抗器のＴＣＲが悪化することを抑制できる。
【００２８】
すなわち、電圧検出端子１３ａがＴＣＲの値が大きい銅で構成されているため、本実施の形態のように、欠落部１５によって電圧検出端子１３ａに電流が流れるのを遮り、そのＴＣＲが抵抗器全体のＴＣＲに影響を及ぼさないようにすることによって、抵抗器のＴＣＲを小さくする（ゼロに近くする）ことができる。
【００２９】
また、突出部１４が、一対の電圧検出端子１３ａと一対の電流端子１３ｂとの間の箇所から一対の電極１３が並ぶ方向と略直交する方向に突出しているため、一対の電圧検出端子１３ａに電流が流れることをより確実に防止でき、さらに、一対の電流端子１３ｂ間に流れる電流が直線状になり、電流値が安定する。
【産業上の利用可能性】
【００３０】
本発明に係る抵抗器は、ＴＣＲを小さくすることができるという効果を有するものであり、特に各種電子機器の電流値検出等に使用される小型で低抵抗値の抵抗器等に適用することにより有用となる。
【符号の説明】
【００３１】
１２  抵抗体
１３  一対の電極
１３ａ  電圧検出端子
１３ｂ  電流端子
１４  突出部
【図１】
2020177947.tif 000003
【図２】
2020177947.tif 000004
【図３】
2020177947.tif 000005